(57)【要約】      （修正有）【課題】ドアの開き幅を狭くして物差し等を差し込んでも、不正解錠されることがないドアチェーン装置を提供する。【解決手段】ドア側に設けた受けレール１のスライド溝２に対し、ドア受け側に設けたドアチェーンをその先端のフックボルト４を介して掛け止めるドアチェーン装置において、受けレール１の表面を、ドア受け側端部１ａから他の端部１ｂにかけ漸次低くなる傾斜面に形成する。【選択図】図１
2006188875.tif 000002
【特許請求の範囲】
【請求項１】
ドア側に設けた受けレールのスライド溝に対し、ドア受け側に設けたドアチェーンをその先端のフックボルトを介して掛け止めるドアチェーン装置において、前記受けレールの表面を、ドア受け側端部から他の端部にかけ漸次低くなる傾斜面に形成してなることを特徴とするドアチェーン装置。
【請求項２】
前記受けレールのドア受け側端部の高さを２０ｍｍ以上に形成してなることを特徴とする請求項１記載のドアチェーン装置。
【発明の詳細な説明】
【技術分野】
【０００１】
本発明は、ドアチェーン装置に関し、特に、ドアの開き幅を狭くして物差し等を差し込んでも、不正解錠されることがないドアチェーン装置に関するものである。
【背景技術】
【０００２】
従来、玄関ドア等の防犯用として、ドア本体に取り付けたシリンダー錠とは別に、防犯の用心鎖としてのドアチェーン装置が設置されている。
このドアチェーン装置は、例えば、ドア側に設けた受けレールのスライド溝に対し、ドア受け側に連結したドアチェーンを、該ドアチェーン先端のフックボルトを介して掛け止めることにより、前記シリンダー錠を解錠しても、このドアチェーンによりドアが全開するのを防止するようにしている。
【０００３】
ところで、このドアチェーン装置は、ドアを開いた状態では、フックボルトが受けレールの挿入孔と反対側に移動することから、家の外側からはフックボルトの係止解除操作ができないようになっている。
しかしながら、上記従来のドアチェーン装置は、受けレールの高さが低く、またその表面がドアの面と平行になっているため、図３（ｂ）に示すように、ドアの開き幅を狭くした状態で、受けレールの表面に沿って物差し等を差し込むことにより不正解錠される場合があった。
【発明の開示】
【発明が解決しようとする課題】
【０００４】
本発明は、上記従来のドアチェーン装置が有する問題点に鑑み、ドアの開き幅を狭くして物差し等を差し込んでも、不正解錠されることがないドアチェーン装置を提供することを目的とする。
【課題を解決するための手段】
【０００５】
上記目的を達成するため、本発明のドアチェーン装置は、ドア側に設けた受けレールのスライド溝に対し、ドア受け側に設けたドアチェーンをその先端のフックボルトを介して掛け止めるドアチェーン装置において、前記受けレールの表面を、ドア受け側端部から他の端部にかけ漸次低くなる傾斜面に形成してなることを特徴とする。
【０００６】
この場合において、前記受けレールのドア受け側端部の高さを２０ｍｍ以上に形成することができる。
【発明の効果】
【０００７】
本発明のドアチェーン装置によれば、ドア側に設けた受けレールのスライド溝に対し、ドア受け側に設けたドアチェーンをその先端のフックボルトを介して掛け止めるドアチェーン装置において、前記受けレールの表面を、ドア受け側端部から他の端部にかけ漸次低くなる傾斜面に形成してなることから、フックボルトを受けレールの挿入孔側に移動させるためにドアの開き幅を狭くすると、受けレールの高さが邪魔になって、物差し等を差し込んでのフックボルトの抜き取り操作がしにくくなり、これにより、不正解錠を防止することができる。
また、ドア受け側端部から他の端部にかけ漸次低くなる傾斜面に形成することによって、スライド溝の位置がドア受け側に近づくことになり、これにより、ドアチェーンを掛け止めた状態でのドアの開き幅を大きくすることができる。
さらに、受けレールの表面を傾斜面に形成することにより、ドア受け側端部が高くなっても衣服等の引っ掛かり等を抑制することができ、これにより、通常時の使用においての利便性を確保することができる。
【０００８】
また、前記受けレールのドア受け側端部の高さを２０ｍｍ以上に形成することにより、物差し等を差し込んでのフックボルトの抜き取り操作が更にしにくくなり、これにより、不正解錠をより確実に防止することができる。
【発明を実施するための最良の形態】
【０００９】
以下、本発明のドアチェーン装置の実施の形態を、図面に基づいて説明する。
【実施例１】
【００１０】
図１〜図２に、本発明のドアチェーン装置の一実施例を示す。
このドアチェーン装置は、ドアＤ側に設けた受けレール１のスライド溝２に対し、ドア受けＷ側に設けたドアチェーン３をその先端のフックボルト４を介して掛け止める一般のドアチェーン装置と同じ基本構造を備えている。
そして、このドアチェーン装置は、かかる基本構造に加え、前記受けレール１のドア受け側端部１ａの高さを、好ましくは２０ｍｍ以上、より好ましくは、２２〜３０ｍｍ程度に形成するとともに、受けレール１の表面を、ドア受け側端部１ａから他の端部１ｂにかけ漸次低くなる傾斜面に形成している。
また、このドアチェーン装置は、前記スライド溝２の係止側端部に、フックボルト４を挿脱する第２挿入孔５を形成するとともに、前記受けレール１に、キー６の操作により第２挿入孔５を選択的に閉鎖又は開放するロック機構７を設けている。
【００１１】
受けレール１はドア１に略水平に固定されており、本実施例では、ドア受け側端部１ａの高さが約２５ｍｍになるように形成されている。
図５にも示すように、この受けレール１の表面には、フックボルト４を係止するスライド溝２が形成されており、このスライド溝２の基部側には、フックボルト４を挿脱する通常の挿入孔（第１挿入孔）８が形成されるとともに、スライド溝２の係止側端部には、前記フックボルト４を挿脱する第２挿入孔５が形成されている。
【００１２】
ドアチェーン３は、ドアＤを開いた状態では、前記第１挿入孔８からフックボルト４を抜くことができない規制された長さを有し、基部がドア受けＷに係着されるとともに、先端にフックボルト４が係着されている。
フックボルト４は、通常のドアチェーン装置と同じもので、軸部４１の両端にこの軸部４１より大径の鍔部４２を一体に備えており、受けレール１のスライド溝２に第１挿入孔８又は第２挿入孔５を介して着脱可能に係止し、かつスライド溝２に沿って摺動することができる。
【００１３】
一方、ロック機構７はシリンダー錠からなり、受けレール１のドア受け側端部１ａに内挿されている。
このロック機構７は、第２挿入孔５を閉鎖するカム片７１を備え、キー６の回動操作によって、このカム片７１を閉鎖位置と開放位置と選択的に移動させることができる。
また、このロック機構７は、カム片７１が開放位置にあるときはキー６が抜けずにロック機構７に係着された状態を保持し、カム片７１が閉鎖位置に移動したときにロック機構７から抜ける構造になっている。
この場合、ロック機構７のキー挿入穴を、キー挿入穴に挿入したキー６の保持片６ａ側がドアＤの表面から離れる方向に傾斜して形成している。
これにより、キー６の回動操作を行いやすくなる。
【００１４】
次に、このドアチェーン装置の使用方法を説明する。
まず、ドアチェーン装置を家の中に居て使用する場合は、図１に示すように、ドアチェーン３のフックボルト４を、スライド溝２の第１挿入孔８から挿入し、ドアチェーン３を受けレール１に掛け止める。
これにより、従来のドアチェーン装置と同様の作用をし、ドアＤはドアチェーン３が伸張された狭い隙間以上には開かない。
【００１５】
一方、外出時等、ドアチェーン装置を家の外に居て使用する場合は、図２に示すように、ドアチェーン３のフックボルト４を、スライド溝２の第２挿入孔５から挿入し、ドアチェーン３を受けレール１に掛け止めた後、キー６によってロック機構７を操作し、図１に示すように、カム片７１によって第２挿入孔５を閉鎖することにより、家の外からドアチェーン装置を施錠する。
そして、ドアを完全に閉じ、ドアＤに取り付けられた既設のシリンダー錠（図示省略）を施錠する。
【００１６】
また、帰宅時は、まず、ドアＤに取り付けられた既設のシリンダー錠（図示省略）を解錠し、ドアＤを少し開く。
そして、図２に示すように、キー６を差し込んでロック機構７を操作し、第２挿入孔５を開放するとともに、フックボルト４を第２挿入孔５から抜くことにより、家の外からドアチェーン装置を解錠することができる。
【００１７】
他方、本実施例のドアチェーン装置は、ロック機構を用いない通常の使用において、ドアＤの開き幅を狭くして物差し等を差し込んでの不正解錠をすることができない。
【００１８】
すなわち、本実施例のドアチェーン装置は、受けレール１の表面を、ドア受け側端部１ａから他の端部１ｂにかけ漸次低くなる傾斜面に形成し、さらに、好ましくは、受けレール１のドア受け側端部１ａの高さを２０ｍｍ以上に形成してなることから、図３（ａ）に示すように、フックボルト４を受けレール１の第１挿入孔８側に移動させるためにドアＤの開き幅を狭くしても、受けレール１の高さが邪魔になり、物差し等を差し込んでのフックボルト４の抜き取り操作がしにくくなり、これにより、不正解錠を防止することができる。
【００１９】
また、受けレール１の表面を、ドア受け側端部１ａから他の端部１ｂにかけ漸次低くなる傾斜面に形成してなることによって、図４（ａ）に示すように、スライド溝２の位置がドア受けＷ側に近づくことになり、これにより、ドアチェーン３を掛け止めた状態でのドアＤの開き幅Ｌ１を大きくすることもできる。
ちなみに、同じ長さのドアチェーン（図示省略）を用いて、図４（ｂ）に示す従来例と比較したところ、従来例の開き幅Ｌ２が約４４ｍｍであったのに対し、図４（ａ）に示す本実施例の開き幅Ｌ１は約５０ｍｍであった。
【００２０】
そして、前記受けレール１の表面を、ドア受け側端部１ａから他の端部１ｂにかけ漸次低くなる傾斜面に形成することにより、図３（ａ）に示すように、スライド溝２と第１挿入孔８が傾斜して、フックボルト４の挿入角度がドア面と直角ではなくなることから、物差し等を差し込んでのフックボルト４の抜き取り操作が更にしにくくなり、これにより、不正解錠を防止することができる。
ちなみに、図３（ｂ）に示す従来例では、フックボルト４の挿入角度θ２は９０°であるが、図３（ａ）に示す本実施例では、フックボルト４の挿入角度θ１は約８６°である。
【００２１】
また、受けレール１の表面を傾斜面に形成することにより、ドア受け側端部１ａが高くなっても衣服等の引っ掛かり等を抑制することができ、これにより、通常時の使用においての利便性を確保することができる。
【００２２】
以上、本発明のドアチェーン装置について、その実施例に基づいて説明したが、本発明は上記実施例に記載した構成に限定されるものではなく、実施例に記載した構成を適宜組み合わせる等、その趣旨を逸脱しない範囲において適宜その構成を変更することができる。
【産業上の利用可能性】
【００２３】
本発明のドアチェーン装置は、ドアの開き幅を狭くして物差し等を差し込んでの不正解錠をすることができないという特性を有していることから、信頼性の高いドアチェーン装置として好適に用いることができる。
【図面の簡単な説明】
【００２４】
【図１】本発明のドアチェーン装置の一実施例を示す施錠状態の断面図である。
【図２】同実施例のドアチェーン装置を示す解錠状態の断面図である。
【図３】フックボルトを受けレールの挿入孔側に移動させるためにドアの開き幅を狭くした状態を示し、（ａ）は同実施例のドアチェーン装置の平面図、（ｂ）は従来のドアチェーン装置の平面図である。
【図４】ドアチェーンを張ってドアをいっぱいに開いた状態を示し、（ａ）は同実施例のドアチェーン装置の平面図、（ｂ）は従来のドアチェーン装置の平面図である。
【図５】同実施例の受けレールを示し、（ａ）は正面図、（ｂ）は平面図、（ｃ）は左側面図である。
【符号の説明】
【００２５】
１    受けレール
１ａ  ドア受け側端部
１ｂ  他の端部
２    スライド溝
３    ドアチェーン
４    フックボルト
４１  軸部
４２  鍔部
５    第２挿入孔
６    キー
７    ロック機構
７１  カム片
８    第１挿入孔
Ｄ    ドア
Ｗ    ドア受け
【図１】
2006188875.tif 000003
【図２】
2006188875.tif 000004
【図３】
2006188875.tif 000005
【図４】
2006188875.tif 000006
【図５】
2006188875.tif 000007